(57)【要約】【課題】複数の監視カメラが撮影した映像データを表示モニタに表示する作業を簡略化することができ、効率的に監視業務を行うことができる監視システムを提供することを課題とする。【解決手段】監視用端末２において、配置パターン保持部２５は、監視映像表示領域を分割して得られた分割領域の配置パターンを保持し、監視カメラ管理部２７は、監視カメラに固有のカメラＩＤなどの監視カメラの属性情報を管理する。画面作成部２１１は、各分割領域とカメラＩＤとを対応付けることによって、分割領域に表示させる監視カメラが撮影した映像データを決定し、表示部２２に複数の監視カメラが撮影した映像データを表示させる。また、入力部２３は、オペレータの操作に基づいて、分割領域に割り当てられたカメラＩＤの値を一つずつか、分割領域の数だけ増減させることによって、表示部２２に表示される監視カメラが撮影した映像データを切り替える。【選択図】図１
2008278368.tif 000002
【特許請求の範囲】
【請求項１】
複数の監視カメラと、
前記複数の監視カメラとネットワークで接続された監視用端末と、
を備え、
前記監視用端末は、
前記複数の監視カメラが撮影した映像データを表示領域に表示する表示部と、
前記表示部に関する操作を行う操作部と、
各監視カメラに付与された固有のカメラ識別番号を保持するカメラ情報保持部と、
前記表示領域を複数の分割領域に分割し、前記カメラ情報保持部のデータを用いて決定した各監視カメラの順位に基づいて、各分割領域に前記カメラ識別番号を割り当て、割り当てられた前記カメラ識別番号に対応する各監視カメラが撮影した映像データを各分割領域に表示させる画面作成部と、
を含み、
前記画面作成部は、前記操作部からの指示に応じて、各分割領域に割り当てられた前記カメラ識別番号を前記順位に基づいて変更し、各分割領域に表示させる各監視カメラが撮影した映像データを切り替えることを特徴とする監視システム。
【請求項２】
請求項１に記載の監視システムにおいて、さらに、
前記表示領域の分割数に応じて、前記複数の分割領域の配置パターンを保持する配置パターン保持部、
を備え、
前記画面作成部は、選択された前記配置パターンに従って各分割領域を前記表示領域に配置することを特徴とする監視システム。
【請求項３】
請求項１に記載の監視システムにおいて、
前記画面作成部は、前記指示に応じて、各分割領域に対応する前記順位を、前記表示領域の分割数だけ増加または減少させることを特徴とする監視システム。
【請求項４】
請求項１に記載の監視システムにおいて、
前記画面作成部は、前記指示に応じて、各分割領域に対応する前記順位を、所定数だけ増加または減少させることを特徴とする監視システム。
【請求項５】
請求項４に記載の監視システムにおいて、
前記画面作成部は、前記指示に応じて、各分割領域に割り当てられているカメラ識別番号のうち、最大の前記順位に対応するカメラ識別番号を、最小の前記順位に対応するカメラ識別番号が割り当てられていた分割領域に割り当てることを特徴とする監視システム。
【請求項６】
請求項１ないし請求項５のいずれかに記載の監視システムにおいて、
前記画面作成部は、前記カメラ識別番号に基づいて前記順位を決定することを特徴とする監視システム。
【請求項７】
請求項１ないし請求項５のいずれかに記載の監視システムにおいて、
前記画面作成部は、予め設定された重要度に基づいて前記順位を決定することを特徴とする監視システム。
【請求項８】
請求項１ないし請求項５のいずれかに記載の監視システムにおいて、さらに、
前記複数の監視カメラのうち、少なくとも一つの監視カメラに対応して設けられたセンサ部、
を備え、
前記画面作成部は、前記センサ部に関する情報と、前記カメラ識別番号とに基づいて前記順位を決定することを特徴とする監視システム。
【請求項９】
請求項８に記載の監視システムにおいて、
前記センサ部に関する情報は、各監視カメラに対応して前記センサ部が設けられているか否かを示す前記センサ部の有無情報であり、
前記画面作成部は、前記有無情報と、前記カメラ識別番号とに基づいて前記順位を決定することを特徴とする監視システム。
【請求項１０】
請求項８に記載の監視システムにおいて、
前記センサ部に関する情報は、前記センサ部の検知情報であり、
前記画面作成部は、前記検知情報と、前記カメラ識別番号とに基づいて前記順位を決定することを特徴とする監視システム。
【請求項１１】
請求項１０に記載の監視システムにおいて、
前記画面作成部は、所定の時間ごとに、前記順位を更新することを特徴とする監視システム。
【請求項１２】
請求項１ないし請求項１１のいずれかに記載の監視システムにおいて、
各分割領域には、領域の大きさに応じた領域番号が付与されており、
前記画面作成部は、前記領域番号と前記順位とに基づいて、各分割領域に割り当てる前記カメラ識別番号を決定することを特徴とする監視システム。
【発明の詳細な説明】
【技術分野】
【０００１】
本発明は、複数の監視カメラが設置され、それぞれの監視カメラが撮影した映像データを表示モニタに同時に表示する監視システムに関する。
【背景技術】
【０００２】
従来から、機器の動作確認や、防犯などを目的として、監視カメラが撮影した映像データを、監視センターでモニタしながら遠隔監視を行う監視システムが用いられている。このような監視システムでは、一般的に、複数の監視エリアごとに設置された監視カメラが撮影した映像データを、ネットワークを介して監視センターに送信する。そして、監視センターに常駐するオペレータが、監視用端末の表示モニタに監視カメラが撮影した映像データを表示させて、監視エリアの遠隔監視を行う。
【０００３】
これらの監視システムには、表示モニタの表示領域を複数の領域に分割して、それぞれの領域に監視カメラが撮影した映像データを表示させる機能を有するものがある。この機能を用いることで、一台の表示モニタで複数の監視エリアの監視を行うことが可能となっている。しかし、設置された監視カメラの台数が一台の表示モニタに表示可能な映像データの数を上回っている場合、複数台の表示モニタを用いるか、監視カメラが撮影した映像データを順次切り替えて一台の表示モニタに表示させるなどの対策をとる必要がある。
【０００４】
たとえば、特許文献１が開示する監視システムでは、表示モニタの画面が複数の領域に分割されて、分割された領域が、特定の監視カメラが撮影した映像データを継続して表示させる領域か、他の監視カメラが撮影した映像データを一定の時間ごとに切り替えて表示させる領域のいずれかに設定される。これにより、分割された領域の数以上の監視カメラが撮影した映像データを、一台の表示モニタに表示させることを可能としている。
【０００５】
【特許文献１】特開平１０−１０８１６８号公報
【発明の開示】
【発明が解決しようとする課題】
【０００６】
しかしながら、上記の従来の監視システムにおいて、複数の監視カメラが撮影した映像データを一台の表示モニタに表示させる場合、オペレータは、監視カメラが撮影した映像データを表示させる領域を選択し、監視カメラが撮影した映像データを選択した領域に割り当てる、という作業を行う。さらに、これらの作業を、映像データを表示させる領域の数だけ繰り返す必要がある。このように、従来の監視システムでは、各領域に監視カメラが撮影した映像データを表示させるために、オペレータの作業数が非常に多くなるという問題があった。
【０００７】
また、各領域に表示される監視カメラが撮影した映像データを変更する場合や、分割領域の数を増減させる場合などに、上記と同様の作業が発生するため、監視業務の効率が低下するという問題があった。
【０００８】
そこで、本発明は前記問題点に鑑み、複数の監視カメラが撮影した映像データを一つの表示モニタに表示する作業を簡略化することができ、効率的に監視業務を行うことができる監視システムを提供することを目的とする。
【課題を解決するための手段】
【０００９】
上記課題を解決するため、請求項１記載の発明は、複数の監視カメラと、前記複数の監視カメラとネットワークで接続された監視用端末と、を備え、前記監視用端末は、前記複数の監視カメラが撮影した映像データを表示領域に表示する表示部と、前記表示部に関する操作を行う操作部と、各監視カメラに付与された固有のカメラ識別番号を保持するカメラ情報保持部と、前記表示領域を複数の分割領域に分割し、前記カメラ情報保持部のデータを用いて決定した各監視カメラの順位に基づいて、各分割領域に前記カメラ識別番号を割り当て、割り当てられた前記カメラ識別番号に対応する各監視カメラが撮影した映像データを各分割領域に表示させる画面作成部と、を含み、前記画面作成部は、前記操作部からの指示に応じて、各分割領域に割り当てられた前記カメラ識別番号を前記順位に基づいて変更し、各分割領域に表示させる各監視カメラが撮影した映像データを切り替えることを特徴とする。
【００１０】
請求項２記載の発明は、請求項１に記載の監視システムにおいて、さらに、前記表示領域の分割数に応じて、前記複数の分割領域の配置パターンを保持する配置パターン保持部、を備え、前記画面作成部は、選択された前記配置パターンに従って各分割領域を前記表示領域に配置することを特徴とする。
【００１１】
請求項３記載の発明は、請求項１に記載の監視システムにおいて、前記画面作成部は、前記指示に応じて、各分割領域に対応する前記順位を、前記表示領域の分割数だけ増加または減少させることを特徴とする。
【００１２】
請求項４記載の発明は、請求項１に記載の監視システムにおいて、前記画面作成部は、前記指示に応じて、各分割領域に対応する前記順位を、所定数だけ増加または減少させることを特徴とする。
【００１３】
請求項５記載の発明は、請求項４に記載の監視システムにおいて、前記画面作成部は、前記指示に応じて、各分割領域に割り当てられているカメラ識別番号のうち、最大の前記順位に対応するカメラ識別番号を、最小の前記順位に対応するカメラ識別番号が割り当てられていた分割領域に割り当てることを特徴とする。
【００１４】
請求項６記載の発明は、請求項１ないし請求項５のいずれかに記載の監視システムにおいて、前記画面作成部は、前記カメラ識別番号に基づいて前記順位を決定することを特徴とする。
【００１５】
請求項７記載の発明は、請求項１ないし請求項５のいずれかに記載の監視システムにおいて、前記画面作成部は、予め設定された重要度に基づいて前記順位を決定することを特徴とする。
【００１６】
請求項８記載の発明は、請求項１ないし請求項５のいずれかに記載の監視システムにおいて、さらに、前記複数の監視カメラのうち、少なくとも一つの監視カメラに対応して設けられたセンサ部、を備え、前記画面作成部は、前記センサ部に関する情報と、前記カメラ識別番号とに基づいて前記順位を決定することを特徴とする。
【００１７】
請求項９記載の発明は、請求項８に記載の監視システムにおいて、前記センサ部に関する情報は、各監視カメラに対応して前記センサ部が設けられているか否かを示す前記センサ部の有無情報であり、前記画面作成部は、前記有無情報と、前記カメラ識別番号とに基づいて前記順位を決定することを特徴とする。
【００１８】
請求項１０記載の発明は、請求項８に記載の監視システムにおいて、前記センサ部に関する情報は、前記センサ部の検知情報であり、前記画面作成部は、前記検知情報と、前記カメラ識別番号とに基づいて前記順位を決定することを特徴とする。
【００１９】
請求項１１記載の発明は、請求項１０に記載の監視システムにおいて、前記画面作成部は、所定の時間ごとに、前記順位を更新することを特徴とする。
【００２０】
請求項１２記載の発明は、請求項１ないし請求項１１のいずれかに記載の監視システムにおいて、各分割領域には、領域の大きさに応じた領域番号が付与されており、前記画面作成部は、前記領域番号と前記順位とに基づいて、各分割領域に割り当てる前記カメラ識別番号を決定することを特徴とする。
【発明の効果】
【００２１】
本発明の監視システムでは、監視カメラごとに固有のカメラ識別番号を付与し、カメラ識別番号に基づいて決定した順位に基づいて、予め決められた配置パターンに配置された分割領域にカメラ識別番号を割り当てることによって、監視カメラが撮影した映像データを分割領域に表示させる。したがって、監視カメラが撮影した映像データを各分割領域に表示させるためのオペレータの作業を、簡略化することができる。
【００２２】
また、操作部からの指示に応じて、分割領域に割り当てられたカメラ識別番号を切り替えることができるため、分割領域に表示されている、監視カメラが撮影した映像データを容易に切り替えることができるため、監視業務を効率化することができる。
【００２３】
また、本発明の監視システムでは、監視カメラの順位が、監視エリアの重要性を考慮した重要度によって設定される。重要度は、ユーザが予め設定したり、監視カメラに対応して配置されたセンサ部の検出結果に基づいて決定したりすることができる。これにより、重要性の高い監視エリアに配置されている、監視カメラが撮影した映像データを優先的に表示部に表示することが可能となるため、監視業務を効率化することが可能となる。
【発明を実施するための最良の形態】
【００２４】
｛第１の実施の形態｝
以下、図面を参照しつつ本発明の実施の形態について説明する。図１は、本発明の第１の実施の形態に係る監視システムのシステム構成図である。図１に示す監視システムにおいて、監視カメラ１１１、１１２、１１３がビデオサーバ１１に接続され、監視カメラ１２１、１２２、１２３がビデオサーバ１２に接続されている。ビデオサーバ１１、１２は、ＬＡＮ３を介して監視用端末２に接続されている。図１に示す監視システムは、たとえば、一つの建物の中に設けられる。
【００２５】
なお、図１では、ビデオサーバの数を２台とし、各ビデオサーバに接続される監視カメラを３台として示しているが、本実施の形態の監視システムを構成するビデオサーバ、およびビデオサーバに接続される監視カメラの数は、図１に示すものに限られない。また、図１では、監視カメラ１１１〜１１３、１２１〜１２３と、監視用端末２とは、ＬＡＮ３を介して接続されているが、インターネットを介して接続されていてもよい。
【００２６】
監視カメラ１１１〜１１３、１２１〜１２３は、監視エリアの周辺を撮影する。監視カメラ１１１〜１１３、１２１〜１２３が撮影した映像データは、ＮＴＳＣ方式やＰＡＬ方式などのアナログ形式の映像データである。
【００２７】
ビデオサーバ１１、１２は、動画配信サーバであり、監視カメラ１１１〜１１３、１２１〜１２３から入力されたアナログ形式の映像データを、ＭＰＥＧ４などのデジタル形式の映像データに変換する。また、ビデオサーバ１１、１２は、変換したデジタルデータを、ＬＡＮ３を介して監視用端末２に送信する。
【００２８】
監視用端末２は、監視センターなどに設置されており、ビデオサーバ１１、１２から送信されたデジタル形式の映像データを表示する。監視センターのオペレータは、監視用端末２の表示モニタを監視することによって、監視業務を行う。
【００２９】
次に、監視用端末２について説明する。監視用端末２は、制御部２１と、表示部２２と、入力部２３と、監視カメラ管理部２４と、配置パターン保持部２５と、通信部２６とを備えている。
【００３０】
制御部２１は、監視用端末２の全体制御を行う。また、制御部２１は、監視画面に表示する監視映像データを作成する画面作成部２１１を含んでいる。
【００３１】
表示部２２は、画面作成部２１１が作成した監視映像データを表示する。図２は、表示部２２に表示される監視画面の概略図である。監視画面は、監視映像表示領域２２１と、操作ボタン表示領域２２２とによって構成される。監視映像表示領域２２１において、分割領域ａ〜ｆには、監視カメラが撮影した映像データが表示される。また、操作ボタン表示領域２２２には、監視用端末２の各種操作を行うためのボタン等が表示される。
【００３２】
ここで、分割領域とは、監視映像表示領域２２１を分割してできた複数の領域のことであり、各分割領域には、監視カメラが撮影した映像データがそれぞれ表示される。図２に示す分割領域の数は六つであり、各分割領域には、固有の領域番号ａ〜ｆが付されている。なお、監視映像表示領域２２１に表示される分割領域の数は変更することができる。
【００３３】
入力部２３は、監視用端末２に各種の操作指示を行うためのキーボードやマウス等で構成される。
【００３４】
監視カメラ管理部２４は、監視カメラ１１１〜１１３、１２１〜１２３の監視カメラの属性情報を管理する。図３は、監視カメラ管理部２４が保持する属性情報の一例を示す図である。図３に示すように、監視カメラ管理部２４は、監視カメラごとに付与された固有のカメラＩＤを用いて、監視カメラの属性情報を管理している。たとえば、図１に示すように、ビデオサーバ１１のＩＰアドレス１９２．１６８．０．１とし、ビデオサーバ１２のＩＰアドレスを１９２．１６８．０．２とする。この場合、監視カメラ１１１は、ビデオサーバ１１のチャネル１に接続されており、２Ｆのエレベータホールに設置されていることがわかる。同様に、監視カメラ１２１は、ビデオサーバ１２のチャネル１に接続されており、１Ｆエントランスに設置されていることがわかる。
【００３５】
配置パターン保持部２５は、分割領域の配置パターンを保持する。図４は、配置パターン保持部２５が保持する分割領域の配置パターンの一例を示す図である。図４に示すように、分割領域の数に応じて、分割領域の配置パターンが決められている。なお、図４（ａ）〜（ｇ）に示す配置パターンは、分割領域の数が１，４，６，８，９，１０，１６の場合の配置パターンにそれぞれ対応する。また、各分割領域には固有の領域番号が付与されており、たとえば、図４（ｅ）に示す配置パターンの場合、分割領域の数は９であり、分割領域にはａ〜ｉの領域番号が付与されている。
【００３６】
通信部２６は、ＬＡＮ３に接続された各コンピュータとの間で、ＴＣＰ／ＩＰなどのプロトコルを利用してデータの送受信を行う。
【００３７】
次に、本実施の形態の監視システムの動作について、図４、図５、および図６を用いて説明する。図５は、監視用端末２の動作の概略を説明するためのフローチャートである。図６は、図２に示す操作ボタン表示領域２２２の一例を示す概略図である。
【００３８】
まず、監視用端末２のオペレータは、監視カメラの属性情報を設定する（ステップＳ１）。オペレータは、図６に示す操作ボタン表示領域２２２のカメラ設定ボタン２２８を押して、監視カメラの属性情報の設定画面（図示省略）を呼び出す。そして、オペレータは、監視カメラに固有のカメラＩＤを付与するとともに、属性情報を設定する。
【００３９】
その後、オペレータは、監視映像表示領域２２１に表示させる分割領域の数を決定する（ステップＳ２）。具体的には、オペレータが図６に示す分割領域設定ボタン２２３を押すことで、監視映像表示領域２２１に表示する分割領域の数が決定される。なお、分割領域設定ボタン２２３において、「ＦｕｌｌＳｃｒｅｅｎ」、「４ＣＨ」、「６ＣＨ」、「８ＣＨ」、「９ＣＨ」、「１０ＣＨ」、「１６ＣＨ」のボタンは、図４（ａ）〜（ｇ）に示す分割領域の配置パターンにそれぞれ対応する。また、分割領域設定ボタン２２３に示された「Ｐａｔｒｏｌ」ボタンを押すと、画像作成部２１１は、監視カメラが撮影した映像データをフルスクリーンで表示するとともに、カメラＩＤの順番に従って、表示する監視カメラが撮影した映像データを一定の時間ごとに切り替える。
【００４０】
次に、画面作成部２１１は、決定した分割領域の数に基づいて、監視映像表示領域２２１に分割領域を表示させる（ステップＳ３）。つまり、画面作成部２１１は、オペレータが押した分割領域設定ボタン２２３に対応する配置パターンを、配置パターン保持部２５から取得して、監視映像表示領域２２１に分割領域を表示させる。
【００４１】
その後、画面作成部２１１は、監視映像表示領域２２１に表示された分割領域に映像データを表示させる（ステップＳ４）。具体的には、画面作成部２１１は、図４に示す配置パターンの各分割領域と、カメラＩＤとを対応付けることによって、分割領域に監視カメラが撮影した映像データを表示させる。たとえば、図４（ｃ）に示す監視映像表示領域２２１の場合、領域番号がａ，ｂ，ｃ，ｄ，ｅ，ｆの分割領域に、カメラＩＤを１，２，３，４，５，６の順に割り当てる。このように、領域番号にカメラＩＤを昇順に対応させてもよいし、カメラＩＤを降順に対応させてもよい。
【００４２】
そして、分割領域に映像データが表示された後、オペレータは、入力部２３を操作して、各分割領域に表示された映像データを切り替えて（ステップＳ５）、監視を行う。
【００４３】
以下では、各分割領域に表示された映像データを切り替えるステップＳ５における監視用端末２の動作について、詳しく説明する。
【００４４】
分割領域に表示された映像データの切り替えには、分割領域シフトモードと、一画面シフトモードの二つの切り替え方法がある。分割領域シフトモードとは、分割領域に割り当てられた監視カメラのカメラＩＤの値を一つずつ繰り上げまたは繰り下げることで、分割領域に表示される映像データを切り替えることをいう。分割領域シフトモードは、図６に示す分割領域左シフトボタン２２４または分割領域右シフトボタン２２５を押すことで実行される。
【００４５】
一方、一画面シフトモードとは、分割領域に割り当てられている監視カメラのカメラＩＤの値を、分割領域の数だけ繰り上げまたは繰り下げることによって、分割領域に表示される映像データを切り替えることをいう。一画面シフトモードは、図６に示す一画面左シフトボタン２２６または一画面右シフトボタン２２７を押すことで実行される。
【００４６】
最初に、分割領域シフトモードについて、図７および図８を用いて説明する。図７は、図６に示す分割領域左シフトボタン２２４を押した場合の、分割領域に割り当てられるカメラＩＤの変化を説明する図である。図８は、図６に示す分割領域右シフトボタン２２５を押した場合の、分割領域に割り当てられるカメラＩＤの変化を説明する図である。図７および図８において、カメラＩＤは１から３０までとし、監視映像表示領域２２１には６つの分割領域が配置されているものとする。また、分割領域に付されている数字は、それぞれの分割領域に割り当てられたカメラＩＤを示しており、分割領域の領域番号は、図４（ｃ）に示したものと同じとする。
【００４７】
まず、分割領域左シフトボタン２２４を押したときのカメラＩＤの変化について、図７を用いて説明する。オペレータが分割領域左シフトボタン２２４を１回押すたびに、図７（ａ）に示す各分割領域に割り当てられるカメラＩＤは、図７（ｂ）、図７（ｃ）・・・図７（ｄ）、図７（ｅ）の順に変化する。すなわち、分割領域左シフトボタン２２４を１回押すことで、分割領域に割り当てられるカメラＩＤの値は、一つ繰り上がる。たとえば、分割領域ａに割り当てられるカメラＩＤは、図７（ａ）に示す「１」から、図７（ｂ）に示す「２」、図７（ｃ）に示す「３」、・・・と変化する。そして、分割領域ａに割り当てられるカメラＩＤは、図７（ｅ）に示す「３０」から、図７（ａ）に示す「１」に戻る。分割領域ｂ〜ｆに割り当てられるカメラＩＤも、分割領域ａと同様に変化する。
【００４８】
続いて、分割領域右シフトボタン２２５を押したときのカメラＩＤの変化について、図８を用いて説明する。オペレータが分割領域右シフトボタン２２５を１回押すたびに、図８（ａ）に示す各分割領域に割り当てられるカメラＩＤは、図８（ｂ）、図８（ｃ）・・・図８（ｄ）、図８（ｅ）の順に変化する。すなわち、分割領域右シフトボタン２２５を１回押すことで、分割領域に割り当てられるカメラＩＤの値は、一つ繰り下がる。たとえば、分割領域ａに割り当てられるカメラＩＤは、図８（ａ）に示す「１」から、図８（ｂ）に示す「３０」、図８（ｃ）に示す「２９」、・・・と変化する。そして、分割領域ａに割り当てられるカメラＩＤは、図８（ｅ）に示す「２」から、図８（ａ）に示す「１」に戻る。分割領域ｂ〜ｆに割り当てられるカメラＩＤも、分割領域ａと同様に変化する。
【００４９】
このように、オペレータは、分割領域シフトモードを利用することによって、表示部２２に表示させる監視カメラが撮影した映像データを切り替えることができる。
【００５０】
次に、一画面シフトモードについて図９および図１０を用いて説明する。図９は、図６に示す一画面左シフトボタン２２６を押した場合の、分割領域に割り当てられるカメラＩＤの変化を説明する図である。図１０は、図６に示す一画面右シフトボタン２２７を押した場合の、分割領域に割り当てられるカメラＩＤの変化を説明する図である。図９および図１０に示す分割領域の配置などは、図７と同様である。
【００５１】
まず、一画面左シフトボタン２２６を押したときのカメラＩＤの変化について、図９を用いて説明する。オペレータが一画面左シフトボタン２２６を１回押すたびに、図９（ａ）に示す各分割領域に割り当てられるカメラＩＤは、図９（ｂ）、図９（ｃ）、図９（ｄ）、図９（ｅ）の順に変化する。すなわち、図９（ａ）に示す分割領域に割り当てられるカメラＩＤは、分割領域の数だけ繰り上がる。たとえば、分割領域ａに割り当てられるカメラＩＤは、図９（ａ）に示す「１」から、図９（ｂ）に示す「７」、図９（ｂ）に示す「１３」・・・と変化する。そして、分割領域ａに割り当てられるカメラＩＤは、図９（ｅ）に示す「２５」から、図９（ａ）に示す「１」に戻る。分割領域ｂ〜ｆに割り当てられるカメラＩＤも、分割領域ａと同様に変化する。
【００５２】
続いて、一画面右シフトボタン２２７を押したときのカメラＩＤの変化について、図１０を用いて説明する。オペレータが一画面右シフトボタン２２７を１回押すたびに、図１０（ａ）に示す各分割領域に割り当てられるカメラＩＤは、図１０（ｂ）、図１０（ｃ）・・・図１０（ｄ）、図１０（ｅ）の順に変化する。すなわち、図１０（ａ）に示す分割領域に割り当てられるカメラＩＤは、分割領域の数だけ繰り下がる。たとえば、分割領域ａに割り当てられるカメラＩＤは、図１０（ａ）に示す「１」から、図１０（ｂ）に示す「２５」、図１０（ｃ）に示す「１９」・・・と変化する。そして、分割領域ａに割り当てられるカメラＩＤは、図１０（ｅ）に示す「７」から、図１０（ａ）に示す「１」に戻る。分割領域ｂ〜ｆに割り当てられるカメラＩＤも、分割領域ａと同様に変化する。
【００５３】
このように、オペレータは、一画面シフトモードを利用することによって、表示部２２に表示させる監視カメラが撮影した映像データを、分割領域シフトモードを利用する場合より迅速に切り替えることができる。
【００５４】
以上説明したように、本実施の形態の監視システムは、監視カメラに固有のカメラＩＤを付与して、カメラＩＤの昇順または降順で分割領域に監視カメラが撮影した映像データを割り当てる。また、本実施の形態の監視システムは、分割領域に表示された監視カメラが撮影した映像データを、カメラＩＤに基づいて切り替える。したがって、本実施の形態の監視システムのオペレータは、煩雑な作業を伴うことなく、表示部２２に複数の監視カメラが撮影した映像データを表示させることができるとともに、分割領域に表示された監視カメラが撮影した映像データを切り替えることができるため、効率的に監視業務を行うことが可能となる。
【００５５】
なお、本実施の形態では、分割領域シフトモードにおいて、分割領域に割り当てられるカメラＩＤを一つずつ繰り上げまたは繰り下げるものとして説明したが、これに限られるものではなく、たとえば、図１１に示すように、分割領域に割り当てられるカメラＩＤを変化させてもよい。
【００５６】
図１１は、分割領域シフトモードにおける分割領域に割り当てられるカメラＩＤの変化の他の例を示す図である。図１１に示す分割領域シフトモードは、監視画面表示領域２２１に表示されている監視カメラが撮影した映像データに対応するカメラＩＤを図１１に示すものに固定させた状態で、分割領域に割り当てられるカメラＩＤをローテーションさせるものである。このような操作を行う場合、操作ボタン表示領域２２２に、「ローテーションモード」ボタンを配置すればよい。そして、このボタンが押された状態において、画面作成部２１１は、図１１に示すように分割領域とカメラＩＤとを対応関係を変化させて、監視映像データを作成すればよい。
【００５７】
｛第２の実施の形態｝
第１の実施の形態に係る監視システムにおいて、監視映像表示領域２２１に表示される監視カメラが撮影した映像データは、カメラＩＤに基づいて決定される。つまり、分割領域に割り当てられるカメラＩＤは、監視カメラの属性情報を設定した順番に依存するか、あるいは、オペレータが付与したＩＤに依存する。
【００５８】
しかし、監視カメラに付与されたカメラＩＤと、監視カメラの重要性とが一致しない場合がある。たとえば、人の出入りの多い場所のような、重要性の高いエリアに監視カメラを新たに設置した場合、新たに設置した監視カメラの属性情報は、最後に入力される。すなわち、重要性の高い監視カメラが撮影した映像データは、最初に表示されない。そこで、本発明の第２の実施の形態に係る監視システムは、分割領域に表示される映像データを頻繁に切り替える必要のある第１の実施の形態に係る監視システムよりも、重要性の高い監視カメラを優先的に表示領域に表示させることで、さらなる監視効率の向上を実現するものである。
【００５９】
なお、以下の本実施の形態の説明では、第１の実施の形態と異なる点を中心に説明し、第１の実施の形態の構成要素と同じものには同じ参照符号を付して、その説明を省略する。
【００６０】
図１２は、本発明の第２の実施の形態に係る監視システムの構成図である。図１２に示す監視システムが、図１に示す監視システムと異なる点は、ビデオサーバ１１に、センサ部１１４、１１５、１１６が接続されている点と、ビデオサーバ１２に、センサ部１２４、１２５、１２６が接続されている点と、監視用端末２が監視カメラ管理部２７と、ログデータ部２８と、重要度決定部２１２とを新たに備える点である。
【００６１】
センサ部１１４〜１１６、１２４〜１２６は、赤外線センサや、ドア開閉検知センサなどである。センサ部１１４〜１１６は、監視カメラ１１１〜１１３にそれぞれ対応して設けられ、センサ部１２４〜１２６は、監視カメラ１２１〜１２３にそれぞれ対応して設けられる。
【００６２】
監視カメラ管理部２７は、図１に示す監視カメラ管理部２４に対応するが、センサ部に関する情報などが新たに追加された監視カメラの属性情報を保持する。図１３は、監視カメラ管理部２７が保持する監視カメラの属性情報の一例を示す図である。図１３に示すように、監視カメラの属性情報には、各監視カメラに対応して設けられたセンサ部の情報が記録されている。センサ部の情報として、各センサに固有に付与されるセンサ番号が記録される。なお、カメラＩＤが「７」の監視カメラには、センサ番号が記録されていない。これは、カメラＩＤが「７」の監視カメラに対応するセンサ部が配置されていないことを示している。
【００６３】
ログデータ部２８は、ＬＡＮ３を介して送信されるセンサ部１１４〜１１６、１２４〜１２６の検知情報を収集し、ログデータとして保存する。図１４は、ログデータ部２８が保存するログデータの一例を示す図である。図１４に示すように、ログデータ部２８は、特定の時間区分ごとに、各センサ部の検知回数をカウントした結果を保存する。たとえば、センサ番号「４」が付与されたセンサ部１２４の場合、４月６日の午前中の検知回数が９８回で、午後の検知回数が８９回であることがわかる。また、過去一週間の総検知回数は１２８８回であり、過去２４時間の総検知回数は１８３回であることがわかる。
【００６４】
重要度決定部２１２は、ログデータ部２８が保存するログデータを解析し、解析結果に基づいて監視カメラの重要度を決定する。重要度とは、分割領域にカメラＩＤを割り当てる優先順位のことをいう。
【００６５】
次に、本実施の形態の監視システムの動作について、図１５を用いて説明する。図１５は、第２の実施の形態の監視システムの動作を示すフローチャートである。
【００６６】
まず、監視用端末２において、ログデータ部２８が、センサ部１１４〜１１６、１２４〜１２６の検知情報を収集して、図１４に示すログデータを作成する（ステップＳ１１）。たとえば、ログデータ部２８は、１日分のログデータの収集を行う。このとき、ログデータの作成と並行して、監視用端末２は、図４に示すステップＳ１〜Ｓ５の動作を行ってもよい。この場合、監視映像表示領域２２１には、各監視カメラに対応するカメラＩＤの順に、監視カメラが撮影した映像データが表示される。
【００６７】
次に、重要度決定部２１２が、ログデータに基づいて各監視カメラの重要度を決定する（ステップＳ１２）。たとえば、重要度決定部２１２は、図１４に示すログデータのうち、過去１日分の総検知回数が多い順に、監視カメラの重要度を判定する。そして、重要度決定部２１２は、図１３に示す監視カメラの属性情報に、判定した重要度を書き込む。この結果、図１３に示すように、カメラＩＤ「１」の監視カメラ１１１の重要度が４となり、カメラＩＤ「４」の監視カメラ１２１の重要度が１となっていることがわかる。
【００６８】
次に、画面作成部２１１は、決定した重要度に基づいて、分割領域に監視カメラのカメラＩＤを割り当てて、分割領域に監視カメラが撮影した映像データを表示させる（ステップＳ１３）。図１６は、図１３に示す重要度に基づいて、分割領域にカメラＩＤを割り当てた状態を示す図である。図１６に示すように、分割領域ａには、重要度が１番目のカメラＩＤが「４」の監視カメラ２１１の映像データが表示され、分割領域ｆには、重要度が６番目のカメラＩＤが「２」の監視カメラ１１２の映像データが表示される。
【００６９】
分割領域に監視カメラが撮影した映像データが表示された後、オペレータが、表示された監視カメラが撮影した映像データを切り替えて（ステップＳ１４）、ログデータの作成及び監視業務を行う。なお、監視カメラが撮影した映像データの切り替えは、第１の実施の形態とほぼ同じであるが、以下の点が異なる。
【００７０】
分割領域シフトモードおよび一画面シフトモードにおいて、分割領域に割り当てられるカメラＩＤが繰り上げまたは繰り下げられるのではなく、分割領域に割り当てられた重要度が繰り上げまたは繰り下げられる。その結果、分割領域に割り当てられた重要度の変化に応じて、その分割領域に割り当てられたカメラＩＤが変化するために、分割領域に表示される映像データが切り替わる。つまり、本実施の形態において図７〜図１０を参照する場合、各分割領域に表示されている数値は、カメラＩＤではなく、重要度を示していることになる。それ以外の関しては、第１の実施の形態と同様であるため説明を省略する。
【００７１】
そして、重要度を更新する必要が生じた場合（ステップＳ１５においてＹｅｓ）、監視用端末２は、ステップＳ１２の動作を再び行う。重要度の更新は、オペレータが入力部２３を介して、重要度の更新を重要度決定部２１２に指示してもよいし、重要度決定部２１２が一定の時間ごとに重要度を更新するようにしてもよい。これにより、センサ部の検知情報の最新のログデータに基づいて、監視カメラの重要度を決定できるため、監視業務を効率的に行うことができる。
【００７２】
なお、これまでの説明では、分割領域の領域番号と、分割領域のサイズとの対応について特に言及していなかったが、分割領域のサイズの大きい順に領域番号を付与することによって、重要度の高い監視カメラが撮影した映像データを、拡大して表示させることが可能となる。したがって、監視業務の効率をさらに向上させることが可能となる。
【００７３】
このように、本実施の形態の監視システムは、監視カメラに対応して設けられたセンサ部の検知情報をログデータとして蓄積して、ログデータに基づいて監視カメラの重要度を決定する。そして、本実施の形態の監視システムは、重要度に基づいて、分割領域にカメラＩＤを割り当てる。これにより、人通りの多い場所などに設置された、重要性の高い監視カメラを、優先的に監視映像表示領域に表示させることが可能となるため、さらに効率よく監視業務を行うことができる。
【００７４】
なお、本実施の形態において、監視カメラの重要度は、重要度決定部２１２が決定するものとして説明したが、これに限られるものではなく、たとえば、オペレータが直接重要度を決定してもよい。これにより、センサ部の検知情報だけでは重要度が判断できない場所に配置された監視カメラが撮影した映像データも、優先的に分割領域に表示させることができる。なお、重要度決定部２１２が決定した重要度を、オペレータが変更してもよい。
【００７５】
また、本実施の形態において、監視カメラの重要度は、ログデータに基づいて重要度決定部２１２が決定するものとして説明したが、これに限られるものではなく、重要度決定部は、センサを重要な場所にのみ配置するなどして、センサの有無とカメラＩＤに基づいてオペレータが重要度を決定してもよい。これにより、ログデータを作成する必要がないので、簡易な構成で重要な場所に配置された監視カメラが撮影した映像データを表示させることができる。
【００７６】
また、本実施の形態において、センサ部を設けるものとして説明したが、これに限られるものではなく、ビデオサーバが動き検出機能を有することによって、監視カメラが撮影した映像データを基に動き検出動作を行い、動き検出の結果をログデータとして用いてもよい。これにより、センサ部を用いるよりも簡易な構成で、ログデータを作成することができる。
【００７７】
また、第１および第２の実施の形態において、分割領域シフトモードは、分割領域に割り当てられたカメラ識別番号または重要度を、一つずつ繰り上げまたは繰り下げるものとして説明したが、これに限られるものではなく、たとえば、二つまたは三つずつ繰り上げまたは繰り下げてもよい。このように、分割領域シフトモードでは、予め設定した数に応じて、分割領域に割り当てられたカメラ識別番号または重要度を繰り上げまたは繰り下げてもよい。
【００７８】
また、第１および第２の実施の形態において、監視カメラおよびセンサ部は、ビデオサーバに接続されるものとして説明したが、これに限られるものではなく、監視カメラおよびセンサ部が、直接ＬＡＮ３に接続する構成であってもよい。
【００７９】
また、第１および第２の実施の形態において、表示領域シフトモードおよび一画面シフトモードにおいて、全ての分割領域に割り当てられるカメラＩＤを変化させるものとして説明したが、これに限られるものではなく、たとえば、ユーザが指定した分割領域に割り当てられたカメラＩＤを固定し、その他の分割領域に割り当てられるカメラＩＤのみを変化させてもよい。これにより、特定のカメラＩＤが付与された監視カメラが撮影した映像データを常時表示させることができるために、オペレータは監視業務を柔軟に行うことができる。
【図面の簡単な説明】
【００８０】
【図１】第１の実施の形態に係る監視システムのシステム構成図である。
【図２】表示部２２に表示される監視画面の概略図である。
【図３】監視カメラの属性情報の一例を示す図である。
【図４】分割領域の配置パターンの一例を示す図である。
【図５】監視用端末２の動作の概略を説明するフローチャートである。
【図６】監視画面の操作ボタン表示領域２２２の一例を示す概略図である。
【図７】分割領域シフトモードにおける、分割領域に割り当てられたカメラＩＤの変化を説明する図である。
【図８】分割領域シフトモードにおける、分割領域に割り当てられたカメラＩＤの変化を説明する図である。
【図９】一画面シフトモードにおける、分割領域に割り当てられたカメラＩＤの変化を説明する図である。
【図１０】一画面シフトモードにおける、分割領域に割り当てられたカメラＩＤの変化を説明する図である。
【図１１】分割領域シフトモードにおける、分割領域に割り当てられるカメラＩＤの変化の他の例を示す図である。
【図１２】第２の実施の形態に係る監視システムのシステム構成図である。
【図１３】監視カメラ属性情報の一例を示す図である。
【図１４】ログデータの一例を示す図である。
【図１５】第２の実施の形態に係る監視システムの動作を示すフローチャートである。
【図１６】重要度に基づいて分割領域にカメラＩＤを割り当てた図である。
【符号の説明】
【００８１】
２  監視用端末
３  ＬＡＮ
２１  制御部
２２  表示部
２３  入力部
２４、２７  監視カメラ管理部
２５  配置パターン保持部
２８  ログデータ部
１１、１２  ビデオサーバ
１１１、１１２、１１３、１２１、１２２、１２３  監視カメラ
１１４、１１５、１１６、１２４、１２５、１２６  センサ部
２１１  画面作成部
２１２  重要度決定部
【図１】
2008278368.tif 000003
【図２】
2008278368.tif 000004
【図３】
2008278368.tif 000005
【図４】
2008278368.tif 000006
【図５】
2008278368.tif 000007
【図６】
2008278368.tif 000008
【図７】
2008278368.tif 000009
【図８】
2008278368.tif 000010
【図９】
2008278368.tif 000011
【図１０】
2008278368.tif 000012
【図１１】
2008278368.tif 000013
【図１２】
2008278368.tif 000014
【図１３】
2008278368.tif 000015
【図１４】
2008278368.tif 000016
【図１５】
2008278368.tif 000017
【図１６】
2008278368.tif 000018